(57)【要約】【課題】情報提供装置から無線通信を介して取得した情報に基づいて、食生活や健康管理などをサポートすることが可能な家電機器システムを提供する。【解決手段】家電機器システムは、情報提供装置(３００,４００,５００)と、上記情報提供装置(３００,４００,５００)から無線通信を介して取得した情報に基づいて、ユーザーに生活支援のための有益情報を提供する家電機器(１００)とを備える。【選択図】図１
2017204770.tif 000002
【特許請求の範囲】
【請求項１】
情報提供装置と、
上記情報提供装置から無線通信を介して取得した情報に基づいて、生活支援のための有益情報をユーザーに提供する家電機器と
を備えたことを特徴とする家電機器システム。
【請求項２】
請求項１に記載の家電機器システムにおいて、
上記情報提供装置から上記無線通信を介して取得した情報は、上記ユーザーが購入した食材または購入しようとする食材に関する情報を含み、
上記家電機器は、上記情報提供装置から上記無線通信を介して取得した上記ユーザーが購入した食材または購入しようとする食材に関する情報に基づいて、上記食材に関わる上記有益情報をユーザーに提供することを特徴とする家電機器システム。
【請求項３】
請求項２に記載の家電機器システムにおいて、
上記情報提供装置は、
上記購入した食材に関する情報を上記家電機器に上記無線通信を介して送信するＰＯＳ端末を含むことを特徴とする家電機器システム。
【請求項４】
請求項２に記載の家電機器システムにおいて、
上記情報提供装置は、
上記購入した食材または上記購入しようとする食材に関する情報を上記家電機器に上記無線通信を介して送信する電子値札端末を含むことを特徴とする家電機器システム。
【請求項５】
請求項２から４までのいずれか１つに記載の家電機器システムにおいて、
上記情報提供装置または上記家電機器は、上記購入した食材または上記購入しようとする食材のうちの任意の食材を上記ユーザーが選択するための食材選択部を有し、
上記家電機器は、上記購入した食材または上記購入しようとする食材のうち、上記食材選択部によりユーザーが選択した食材に関する情報に基づいて、上記有益情報を上記ユーザーに提供することを特徴とする家電機器システム。
【請求項６】
請求項１から５までのいずれか１つに記載の家電機器システムにおいて、
上記情報提供装置から上記無線通信を介して上記家電機器が取得する上記情報は、上記ユーザーの生体情報を含み、
上記家電機器は、上記情報提供装置から上記無線通信を介して取得した上記生体情報に基づいて、上記有益情報をユーザーに提供することを特徴とする家電機器システム。
【請求項７】
請求項１から６までのいずれか１つに記載の家電機器システムにおいて、
上記情報提供装置は、
上記家電機器と無線通信を行う携帯情報端末を含むことを特徴とする家電機器システム。
【請求項８】
請求項７に記載の家電機器システムにおいて、
上記携帯情報端末と上記家電機器の夫々は、
上記携帯情報端末を上記家電機器に近接させることによって互いに近接場型の無線通信を行う第１無線通信部と、
上記携帯情報端末を上記家電機器に近接させることなく互いに無線通信が可能な第２無線通信部と、
上記情報提供装置から上記家電機器に送信しようとする情報に基づいて、上記第１無線通信部を使用するかまたは上記第２無線通信部を使用するかを切り替える通信切替部と
を有することを特徴とする家電機器システム。
【発明の詳細な説明】
【技術分野】
【０００１】
この発明は、家電機器システムに関する。
【背景技術】
【０００２】
従来、家電機器システムとしては、ネットワークを介して接続された加熱調理器とサーバーとを備えたものがある(例えば、特開２０１５−１８５３９４号公報(特許文献１)参照)。上記加熱調理器は、本体情報をサーバーに送信する無線通信用入出力部と、情報通信端末と通信を行う近距離通信用入出力部とを備えている。
【０００３】
上記家電機器システムでは、加熱調理器から送信された本体情報に基づいてサーバー側で加熱調理器の異常の原因を解析し、その解析結果に応じた報知内容を加熱調理器に送信して、加熱調理器の報知部から報知内容を出力して、故障原因を特定できるようにしている。
【０００４】
また、上記加熱調理器は、近距離通信用入出力部を介して情報通信端末に対して、運転状態と異常監視データを送信することにより、故障原因を分かりやすくしている。
【先行技術文献】
【特許文献】
【０００５】
【特許文献１】特開２０１５−１８５３９４号公報
【発明の概要】
【発明が解決しようとする課題】
【０００６】
しかしながら、上記従来の家電機器システムでは、サーバーや情報通信端末から無線通信を介して取得した情報に基づいて、ユーザーの食生活や健康管理などについて支援するための有益情報を提供することができず、健康管理や食生活をサポートすることができないという問題がある。
【０００７】
そこで、この発明の課題は、情報提供装置から無線通信を介して取得した情報に基づいて、食生活や健康管理などをサポートすることが可能な家電機器システムを提供することにある。
【課題を解決するための手段】
【０００８】
上記課題を解決するため、この発明の家電機器システムは、
情報提供装置と、
上記情報提供装置から無線通信を介して取得した情報に基づいて、生活支援のための有益情報をユーザーに提供する家電機器と
を備えたことを特徴とする。
【０００９】
また、一実施形態の家電機器システムでは、
上記情報提供装置から上記無線通信を介して取得した情報は、上記ユーザーが購入した食材または購入しようとする食材に関する情報を含み、
上記家電機器は、上記情報提供装置から上記無線通信を介して取得した上記ユーザーが購入した食材または購入しようとする食材に関する情報に基づいて、上記食材に関わる上記有益情報をユーザーに提供する。
【００１０】
また、一実施形態の家電機器システムでは、
上記情報提供装置は、
上記購入した食材に関する情報を上記家電機器に上記無線通信を介して送信するＰＯＳ端末を含む。
【００１１】
また、一実施形態の家電機器システムでは、
上記情報提供装置は、
上記購入した食材または上記購入しようとする食材に関する情報を上記家電機器に上記無線通信を介して送信する電子値札端末を含む。
【００１２】
また、一実施形態の家電機器システムでは、
上記情報提供装置または上記家電機器は、上記購入した食材または上記購入しようとする食材のうちの任意の食材を上記ユーザーが選択するための食材選択部を有し、
上記家電機器は、上記購入した食材または上記購入しようとする食材のうち、上記食材選択部によりユーザーが選択した食材に関する情報に基づいて、上記有益情報を上記ユーザーに提供する。
【００１３】
また、一実施形態の家電機器システムでは、
上記情報提供装置から上記無線通信を介して上記家電機器が取得する上記情報は、上記ユーザーの生体情報を含み、
上記家電機器は、上記情報提供装置から上記無線通信を介して取得した上記生体情報に基づいて、上記有益情報をユーザーに提供する。
【００１４】
また、一実施形態の家電機器システムでは、
上記情報提供装置は、
上記家電機器と無線通信を行う携帯情報端末を含む。
【００１５】
また、一実施形態の家電機器システムでは、
上記携帯情報端末と上記家電機器の夫々は、
上記携帯情報端末を上記家電機器に近接させることによって互いに近接場型の無線通信を行う第１無線通信部と、
上記携帯情報端末を上記家電機器に近接させることなく互いに無線通信が可能な第２無線通信部と、
上記情報提供装置から上記家電機器に送信しようとする情報に基づいて、上記第１無線通信部を使用するかまたは上記第２無線通信部を使用するかを切り替える通信切替部と
を有する。
【発明の効果】
【００１６】
以上より明らかなように、この発明によれば、情報提供装置から無線通信を介して取得した情報に基づいて、生活支援のための有益情報を家電機器がユーザーに提供することによって、食生活や健康管理などをサポートすることが可能な家電機器システムを実現することができる。
【図面の簡単な説明】
【００１７】
【図１】図１はこの発明の第１実施形態の家電機器システムの概略構成図である。
【図２】図２は上記家電機器システムの加熱調理器の外観斜視図である。
【図３】図３は上記加熱調理器の制御ブロック図である。
【図４】図４は上記家電機器システムのＰＯＳ端末の制御ブロック図である。
【図５】図５は上記家電機器システムのスマートフォンの制御ブロック図である。
【図６】図６は上記家電機器システムの管理サーバーの構成を示すブロック図である。
【図７】図７はこの発明の第２実施形態の家電機器システムの概略構成図である。
【図８】図８は上記家電機器システムの冷凍冷蔵庫の外観斜視図である。
【図９】図９は上記冷凍冷蔵庫の制御ブロック図である。
【図１０】図１０はこの発明の第３実施形態の家電機器システムの概略構成図である。
【図１１】図１１は上記家電機器システムの電子値札端末の構成を示すブロック図である。
【図１２】図１２はこの発明の第４実施形態の家電機器システムの概略構成図である。
【図１３】図１３は上記家電機器システムの管理サーバーの構成を示すブロック図である。
【発明を実施するための形態】
【００１８】
以下、この発明の家電機器システムを図示の実施の形態により詳細に説明する。
【００１９】
〔第１実施形態〕
図１はこの発明の第１実施形態の家電機器システムの概略構成図を示している。
【００２０】
この第１実施形態の家電機器システムは、図１に示すように、家電機器の一例としての加熱調理器１００と、店舗などに設置されたＰＯＳ端末３００と、携帯情報端末の一例としてのスマートフォン４００と、加熱調理器１００やスマートフォン４００とインターネット網Ｎを介して通信する管理サーバー５００とを備える。
【００２１】
上記スマートフォン４００は、情報提供装置の一例である。また、管理サーバー５００は、クラウドコンピューティングシステムを構成しており、情報提供装置の一例である。
【００２２】
上記加熱調理器１００は、スマートフォン４００と近距離通信を行うＮＦＣ通信モジュール１２０と、無線アクセスポイント８０およびインターネット網Ｎを介して管理サーバー５００などと通信を行うＷｉＦｉ通信モジュール１３０を備える。このインターネット網Ｎは、通信ネットワークの一例である。なお、ＷｉＦｉ通信モジュール１３０が直接インターネット網Ｎに接続されるようにしてもよい。
【００２３】
上記ＮＦＣ通信モジュール１２０は、スマートフォン４００(携帯情報端末)を加熱調理器１００(家電機器)に近接させることによって互いに近接場型の無線通信(Near field radio communication)を行う第１無線通信部の一例である。ここで、ＮＦＣ通信モジュール１２０の通信エリアは、数センチからおよそ1メートル程度の極短距離である。
【００２４】
また、上記ＷｉＦｉ通信モジュール１３０は、スマートフォン４００(携帯情報端末)を加熱調理器１００(家電機器)に近接させることなく互いに無線通信が可能な第２無線通信部の一例である。
【００２５】
上記ＷｉＦｉ通信モジュール１３０は、屋内の無線アクセスポイント８０との間で無線ＬＡＮ(ローカル・エリア・ネットワーク)による通信を行う。より詳しくは、ＷｉＦｉ通信モジュール１３０は、通信規格の一例としての無線ＬＡＮの規格であるＷｉＦｉ(登録商標)を用い、無線アクセスポイント８０を介してスマートフォン４００や屋外の管理サーバー５００に情報を送信したり受信したりする。なお、ＷｉＦｉの代わりにBluetooth(登録商標)などの通信規格を用いてもよい。
【００２６】
図２は上記加熱調理器１００の外観斜視図を示している。
【００２７】
この加熱調理器１００は、図２に示すように、直方体形状の本体ケーシング１と、この本体ケーシング１内に設けられ、前側に開口部２ａを有する加熱室２と、加熱室２の開口部２ａを開閉する扉３とを備えている。
【００２８】
上記本体ケーシング１の上側かつ後側に排気ダクト５を設けている。また、本体ケーシング１の前面の下部に露受容器６を着脱可能に取り付けている。
【００２９】
上記扉３は、本体ケーシング１の前面側に下側の辺を軸に回動可能に取り付けられている。この扉３の前面(加熱室２とは反対側の表面)には、耐熱性を有する透明な外ガラス７が設けられている。また、扉３は、外ガラス７の上側に位置するハンドル８と、外ガラス７の右側に設けられた操作パネル９とを有している。
【００３０】
上記操作パネル９は、カラー液晶表示部１０と、途中で加熱を止めるときなどに押す取り消しキー１２と、加熱を開始するときに押すあたためスタートキー１３とを含んでいる。なお、操作パネル９の上部には、ＮＦＣ通信アンテナ部１４が配置されている。
【００３１】
上記加熱調理器１００の制御ブロック図を図３に示している。この加熱調理器１００の制御装置１１０は、図３に示すように、ＮＦＣ通信モジュール１２０,ＷｉＦｉ通信モジュール１３０,操作パネル９,スピーカ２０,ヒータ３０,マグネトロン４０,ドアセンサ５０などが接続されている。また、制御装置１１０は、操作パネル９,湿度センサ(図示せず),庫内温度センサ(図示せず),ドアセンサ５０などからの信号に基づいて、ＮＦＣ通信モジュール１２０,ＷｉＦｉ通信モジュール１３０,操作パネル９のカラー液晶表示部１０,スピーカ２０,ヒータ３０,マグネトロン４０などを制御する。
【００３２】
また、上記制御装置１１０は、マイクロコンピュータと入出力回路などからなり、ＮＦＣ通信モジュール１２０,ＷｉＦｉ通信モジュール１３０を制御する通信制御部１１０ａと、ＮＦＣ通信モジュール１２０とＷｉＦｉ通信モジュール１３０の切り替えを行う通信切替部１１０ｂと、お勧め調理メニュー(レシピを含む)をユーザーに提案する調理メニュー提案部１１０ｃとを有する。
【００３３】
図４は上記ＰＯＳ端末３００の制御ブロック図を示している。このＰＯＳ端末３００の制御装置３１０は、図４に示すように、ＮＦＣ通信モジュール３２０,サーバー通信モジュール３３０,表示操作部３４０,コードスキャナ３５０,カードリーダ３６０,レシートプリンタ３７０などが接続されている。また、制御装置３１０は、表示操作部３４０,コードスキャナ３５０,カードリーダ３６０などからの信号に基づいて、ＮＦＣ通信モジュール３２０,サーバー通信モジュール３３０,表示操作部３４０,レシートプリンタ３７０などを制御する。
【００３４】
また、上記制御装置３１０は、マイクロコンピュータと入出力回路などからなり、表示操作部３４０,コードスキャナ３５０,カードリーダ３６０などからの信号に基づいて精算処理を行う精算処理部３１０ａと、ＮＦＣ通信モジュール３２０,サーバー通信モジュール３３０を制御する通信制御部３１０ｂとを有する。
【００３５】
また、図５は上記スマートフォン４００の制御ブロック図を示している。このスマートフォン４００の制御装置４１０は、図４に示すように、ＮＦＣ通信モジュール４２０,ＷｉＦｉ通信モジュール４３０,携帯電話無線通信モジュール４４０,表示操作部４５０,スピーカ４６０,マイク４７０などが接続されている。また、制御装置４１０は、表示操作部４５０,マイク４７０などからの信号に基づいて、ＮＦＣ通信モジュール４２０,ＷｉＦｉ通信モジュール４３０,携帯電話無線通信モジュール４４０,表示操作部４５０,スピーカ４６０などを制御する。
【００３６】
また、上記制御装置４１０は、マイクロコンピュータと入出力回路などからなり、表示操作部４５０などからの信号に基づいてＮＦＣ通信モジュール４２０,ＷｉＦｉ通信モジュール４３０,携帯電話無線通信モジュール４４０を制御する通信制御部４１０ａと、ＮＦＣ通信モジュール４２０,サーバー通信モジュール４３０を切り替える通信切替部４１０ｂと、購入した食材(または購入しようとする食材)のうちの任意の食材をユーザーが選択するための食材選択部４１０ｃとを有する。
【００３７】
上記構成の家電機器システムでは、ユーザーが店舗で購入した食材に関する情報を店舗のＰＯＳ端末３００からスマートフォン４００に無線通信を介して取得する。詳しくは、スマートフォン４００をＰＯＳ端末３００のＮＦＣ通信モジュール３２０の通信アンテナ部(図示せず)にかざすことにより、食材に関する情報として、食材名、量、価格などの情報を近接場型の無線通信(この実施形態ではＮＦＣ)を介してスマートフォン４００のＮＦＣ通信モジュール４２０が取り込む。ここで、スマートフォン４００には、購入食材などを管理する食材管理アプリが予めダウンロードされており、ＮＦＣ通信モジュール４２０により取り込まれた食材に関する情報は、この食材管理アプリにより管理される。
【００３８】
そして、買い物を終えたユーザーが帰宅した後、スマートフォン４００を加熱調理器１００のＮＦＣ通信アンテナ部１４(図２に示す)にかざすことにより、食材に関する情報(食材名、量、価格などの情報)を加熱調理器１００が取得する。このとき、スマートフォン４００のＮＦＣ通信モジュール４２０から加熱調理器１００のＮＦＣ通信モジュール１２０に無線通信(この実施形態ではＮＦＣ)を介して食材に関する情報が転送される。
【００３９】
そうして、取得した食材に関する情報に基づいて、加熱調理器１００は、生活支援のための有益情報として、調理メニュー提案部１１０ｃより購入食材を用いたお勧め調理メニューなどを、カラー液晶表示部１０に表示したり、スピーカ２０により音声出力したりする。
【００４０】
なお、加熱調理器１００から提供されるお勧め調理メニューは、加熱調理器１００に登録された複数の調理メニュー(レシピを含む)の中から選択されたものであってもよいし、管理サーバー５００の調理メニュー管理部５００ｂ(図６に示す)に登録された複数の調理メニュー(レシピを含む)の中から選択して、インターネット網Ｎを介して加熱調理器１００にダウンロードされたものであってもよい。
【００４１】
これによって、予め考えた調理メニューに必要な食材を店舗で購入することなく、店舗で販売される旬の食材やその日のサービス品などを購入したユーザーに対して、その購入食材を用いた調理メニューのレシピを加熱調理器１００から提供することができる。
【００４２】
このように、上記構成の家電機器システムによれば、ＰＯＳ端末３００(情報提供装置)からスマートフォン４００(情報提供装置)を介してＮＦＣ無線通信により取得した購入食材の情報(食材名、量、価格など)に基づいて、加熱調理器１００(家電機器)が生活支援のための有益情報(購入食材を用いたお勧め調理メニューのレシピ)をユーザーに提供する。これによって、ユーザーの食生活をサポートすることが可能になる。
【００４３】
また、店舗のＰＯＳ端末３００(情報提供装置)から取得した購入食材に関する情報として、食材名、量、価格などの情報を、ＮＦＣ無線通信を介してスマートフォン４００(情報提供装置)が取得して、スマートフォン４００からＮＦＣ無線通信を介して加熱調理器１００に転送することによって、加熱調理器１００から購入食材を用いたお勧めの調理メニューのレシピを簡単な操作でユーザーに提供することが可能になる。
【００４４】
また、ユーザーが店舗で食材を購入する時に、精算処理したＰＯＳ端末３００(情報提供装置)から購入食材に関する情報(食材名、量、価格などの情報)を、ＮＦＣ無線通信を介してスマートフォン４００(情報提供装置)が取得するので、食材の購入時に食材に関する情報を簡単に取得することができる。
【００４５】
また、購入した食材のうち、スマートフォン４００の食材選択部４１０ｃによりユーザーが選択した食材に関する情報に基づいて、加熱調理器１００(家電機器)によって生活支援のための有益情報をユーザーに提供する。これにより、加熱調理器１００(家電機器)は、購入食材の全てを用いたお勧めの調理メニューのレシピを提供するのではなく、購入食材のうちの選択された食材を用いたお勧めの調理メニューのレシピをユーザーに提供でき、利便性が向上する。例えば、その日に購入した食材のうちの一部だけを、購入したその日に使いたい場合などに有効である。
【００４６】
なお、この第１実施形態では、スマートフォン４００の食材選択部４１０ｃにより任意の食材を選択したが、加熱調理器１００に食材選択部を備えて、食材の選択を行ってもよい。
【００４７】
また、情報提供装置としてスマートフォン４００(携帯情報端末)を用いることによって、スマートフォン４００に搭載されているＮＦＣ方式の近距離無線通信を利用でき、ＰＯＳ端末３００にスマートフォン４００を近接させることで食材情報を簡単に得ることができる。
【００４８】
さらに、携帯情報端末としてスマートフォン４００を用いることによって、専用アプリにより食材情報を管理することが容易にでき、利便性が向上する。
【００４９】
また、上記第１実施形態によれば、スマートフォン４００(携帯情報端末)から加熱調理器１００(家電機器)に送信しようとする情報のデータ量が少ない場合は、通信速度が遅いＮＦＣ通信モジュール４２０(第１無線通信部)とＮＦＣ通信モジュール１２０(第１無線通信部)とを使用する一方で、スマートフォン４００から加熱調理器１００に送信しようとする情報のデータ量が多い場合は、通信速度が速いＷｉＦｉ通信モジュール４３０(第２無線通信部)とＷｉＦｉ通信モジュール１３０(第２無線通信部)とを使用する。このとき、スマートフォン４００では、通信切替部４１０ｂによりＮＦＣ通信モジュール４２０とＷｉＦｉ通信モジュール４３０とを切り替え、加熱調理器１００では、通信切替部１１０ｂによりＮＦＣ通信モジュール１２０とＷｉＦｉ通信モジュール１３０とを切り替える。
【００５０】
これにより、通信速度が遅いＮＦＣ通信モジュールまたは通信速度が速いＷｉＦｉ通信モジュールの一方しか備えていない場合に比べて、上記情報のデータ量に応じて、ＮＦＣ通信モジュール１２０,４２０とＷｉＦｉ通信モジュール１３０,４３０を適切に切り替えることで、効率のよい無線通信が可能となる。特に、情報のデータ量が少ない場合、接続プロトコルが複雑で時間のかかるＷｉＦｉ通信に比べ、ＮＦＣ通信は、スマートフォン４００を加熱調理器１００にかざすだけで接続が完了するので有利である。
【００５１】
ここで、加熱調理器１００のＮＦＣ通信モジュール１２０とＷｉＦｉ通信モジュール１３０の切り替え、および、スマートフォン４００のＮＦＣ通信モジュール４２０とＷｉＦｉ通信モジュール４３０の切り替えは、スマートフォン４００を加熱調理器１００のＮＦＣ通信アンテナ部１４にかざしたときに、スマートフォン４００側で自動的に判断して行ってもよいし、スマートフォン４００に選択画面を表示してユーザー自身で切り替えるようにしてもよい。
【００５２】
なお、上記第１実施形態では、情報提供装置としてＰＯＳ端末３００とスマートフォン４００を用いた家電機器システムについて説明したが、管理サーバー５００を情報提供装置として用いてもよい。
【００５３】
図６は上記管理サーバー５００の構成を示すブロック図である。この管理サーバー５００は、図６に示すように、インターネット網Ｎを介した通信を行う通信部５００ａと、調理メニュー管理部５００ｂと、食材管理部５００ｃとを有する。
【００５４】
この管理サーバー５００は、通信部５００ａによりインターネット網Ｎを介して通信を行う。また、管理サーバー５００は、通信部５００ａによりインターネット網Ｎと屋内の無線ＬＡＮを介して加熱調理器１００と通信を行う。
【００５５】
また、調理メニュー管理部５００ｂは、加熱調理器１００で実行可能な調理メニューの情報を管理しており、加熱調理器１００からの要求などに応じて調理メニューの情報(レシピなど)を加熱調理器１００側にダウンロードする。
【００５６】
また、食材管理部５００ｃは、ユーザーが店舗で食材を購入すると、その購入食材の情報(食材名、量、価格など)をスマートフォン４００から取得して管理する。この食材管理部５００ｃは、スマートフォン４００において購入食材などの管理を行わない場合に利用する。
【００５７】
例えば、ＰＯＳ端末３００は、インターネット網Ｎを介して管理サーバー５００と通信を行う機能を有するものとする。そして、ユーザーが店舗で食材を購入すると、そのユーザーが購入した食材の情報(食材名、量、価格など)は、ＰＯＳ端末３００からインターネット網Ｎを介して管理サーバー５００の通信部５００ａで受信され、食材管理部５００ｃで管理される。なお、ＰＯＳ端末３００が管理サーバー５００との通信を行う機能を有しないときは、スマートフォン４００で得られたＰＯＳ端末３００からの購入食材の情報を、スマートフォン４００からインターネット網Ｎを介して管理サーバー５００に送信する。
【００５８】
そうして、管理サーバー５００の食材管理部５００ｃで管理された購入食材の情報(食材名、量、価格など)は、管理サーバー５００からインターネット網Ｎを介して加熱調理器１００(家電機器)により取得され、その購入食材の情報に基づいて、加熱調理器１００が生活支援のための有益情報(購入食材を用いたお勧め調理メニューのレシピ)をユーザーに提供する。
【００５９】
このとき、管理サーバー５００の食材管理部５００ｃで管理された購入食材の情報に基づいて、調理メニュー管理部５００ｂにより購入食材を用いたお勧め調理メニューのレシピを加熱調理器１００に送信し、そのお勧め調理メニューのレシピを加熱調理器１００からユーザーに提供してもよい。
【００６０】
あるいは、管理サーバー５００を情報提供装置として用い、かつ、スマートフォン４００において購入食材などの管理を行わない場合は、スマートフォン４００で得られたＰＯＳ端末３００からの購入食材の情報を、スマートフォン４００からインターネット網Ｎを介して管理サーバー５００に送信し、送信された購入食材の情報を食材管理部５００ｃで管理する。そして、食材管理部５００ｃで管理された購入食材の情報に基づいて、購入食材を用いたお勧め調理メニューのレシピ(生活支援のための有益情報)をスマートフォン４００に送信する。次に、スマートフォン４００を加熱調理器１００のＮＦＣ通信アンテナ部１４(図２に示す)にかざすことにより、購入食材を用いたお勧め調理メニューのレシピを加熱調理器１００が取得して、そのお勧め調理メニューのレシピを加熱調理器１００からユーザーに提供する。
【００６１】
また、上記第１実施形態では、管理サーバー５００を備えた家電機器システムについて説明したが、管理サーバーを備えない構成の家電機器システムにこの発明を適用してもよい。この場合、無線アクセスポイント８０や加熱調理器１００のＷｉＦｉ通信モジュールはなくともよい。
【００６２】
また、上記第１実施形態では、予めスマートフォン４００にダウンロードされた食材管理アプリにより、購入食材などを管理したが、スマートフォン４００をＰＯＳ端末３００のＮＦＣ通信モジュール３２０の通信アンテナ部(図示せず)にかざすことにより、食材に関する情報(食材名、量、価格などの情報)を、スマートフォン４００の家計簿アプリに自動的に登録するようにしてもよい。この家計簿アプリにより、家計簿を管理できると共に、購入食材の管理をしてもよい。
【００６３】
また、このような家計簿アプリを備えたスマートフォン４００に、加熱調理器１００で実行された調理メニューのレシピ(使用した食材や数量)を、無線通信を介してフィードバックすることにより、家計簿アプリで食費を計算することが可能になる。
【００６４】
〔第２実施形態〕
図７はこの発明の第２実施形態の家電機器システムの概略構成図を示している。この第２実施形態の家電機器システムは、冷凍冷蔵庫２００を除いて第１実施形態の家電機器システムと同一の構成をしており、同一構成部には同一参照番号を付している。
【００６５】
この第２実施形態の家電機器システムは、図３に示すように、家電機器の一例としての加熱調理器１００と、家電機器の一例としての冷凍冷蔵庫２００と、店舗などに設置されたＰＯＳ端末３００と、携帯情報端末の一例としてのスマートフォン４００と、加熱調理器１００やスマートフォン４００とインターネット網Ｎを介して通信する管理サーバー５００とを備える。
【００６６】
図８は上記家電機器システムの冷凍冷蔵庫２００の外観斜視図を示している。この冷凍冷蔵庫２００は、図８に示すように、筐体２０１と、この筐体２０１内に設けられ、前側に開口を有する冷蔵室,製氷室,上冷凍室,下冷凍室および野菜室(図示せず)と、冷蔵室を開閉する左ドア２０２,右ドア２０３と、製氷室に収納された製氷ケース２０６と、上冷凍室に収納された上冷凍ケース２０７と、下冷凍室に収納された下冷凍ケース２０８と、野菜室に収納された野菜ケース２０９とを備えている。
【００６７】
上記冷凍冷蔵庫２００は、右ドア２０３の下側に表示操作部２０４とＮＦＣ通信アンテナ部２０５とを配置している。この表示操作部２０４は、タッチパネル式の液晶表示装置を用いている。
【００６８】
図９は上記冷凍冷蔵庫２００の制御ブロック図を示している。この冷凍冷蔵庫２００の制御装置２１０は、図９に示すように、ＮＦＣ通信モジュール２２０,ＷｉＦｉ通信モジュール２３０,表示操作部２０４,スピーカ２４０,ドアセンサ２５０などが接続されている。また、制御装置２１０は、表示操作部２０４,ドアセンサ２５０などからの信号に基づいて、ＮＦＣ通信モジュール２２０,ＷｉＦｉ通信モジュール２３０,表示操作部２０４,スピーカ２４０などを制御する。
【００６９】
また、上記制御装置２１０は、マイクロコンピュータと入出力回路などからなり、表示操作部２０４などからの信号に基づいてＮＦＣ通信モジュール２２０,ＷｉＦｉ通信モジュール２３０を制御する通信制御部２１０ａと、ＮＦＣ通信モジュール２２０,ＷｉＦｉ通信モジュール２３０を切り替える通信切替部２１０ｂと、食材管理部２１０ｃとを有する。
【００７０】
上記第２実施形態の家電機器システムでは、冷凍冷蔵庫２００を除いて第１実施形態の家電機器システムと同様の動作を行う。したがって、この第２実施形態では、冷凍冷蔵庫２００に関わる点について以下に説明する。
【００７１】
上記構成の家電機器システムでは、ユーザーが店舗で食材を購入したとき、ＰＯＳ端末３００のＮＦＣ通信モジュール３２０の通信アンテナ部(図示せず)にスマートフォン４００をかざすことにより、購入食材に関する情報(食材名、量、価格などの情報)をスマートフォン４００が取得する。このとき、ＰＯＳ端末３００からスマートフォン４００にＮＦＣ無線通信を介して購入食材に関する情報が転送される。ここで、スマートフォン４００には、購入食材などを管理する食材管理アプリが予めダウンロードされており、ＮＦＣ通信モジュール４２０により取り込まれた食材に関する情報は、この食材管理アプリにより管理される。
【００７２】
そして、買い物を終えたユーザーが帰宅した後、スマートフォン４００を冷凍冷蔵庫２００のＮＦＣ通信アンテナ部２０５(図８に示す)にかざすことにより、食材に関する情報(食材名、量、価格などの情報)が、スマートフォン４００のＮＦＣ通信モジュール４２０から冷凍冷蔵庫２００のＮＦＣ通信モジュール２２０にＮＦＣ無線通信を介して転送される。
【００７３】
そうして、冷凍冷蔵庫２００の食材管理部２１０ｃは、取得した情報に基づいて、冷凍冷蔵庫２００に収納されるべき食材を判断して、冷凍冷蔵庫２００に収容される食材の管理を行う。ここで、食材管理部２１０ｃは、生活支援のための有益情報として、冷凍冷蔵庫２００に収納された食材の在庫状況などを、表示操作部２０４に表示したり、スピーカ２４０により音声出力したりする。
【００７４】
冷凍冷蔵庫２００は、収容された食材の食材名、量、入庫日などに基づいて食材の管理を行う。また、収容された食材の種類に応じて予め設定された標準的な賞味期間を用いて、入庫日からの消費期限を設定して管理するようにしてもよい。さらに、加熱調理器１００で実行された調理メニューのレシピに含まれる使用食材名と使用数量を、ＷｉＦｉ通信モジュール２３０と無線アクセスポイント８０を介して無線ＬＡＮにより冷凍冷蔵庫２００が取得し、その実行された調理メニューのレシピに基づいて、使用された食材を推定して冷凍冷蔵庫２００内の在庫を変更するようにしてもよい。
【００７５】
なお、上記家電機器システムでは、冷凍冷蔵庫２００に入庫される食材は管理されるが、冷凍冷蔵庫２００から出庫される食材については、ユーザーが表示操作部２０４を操作することにより食材の在庫を変更する。また、加熱調理器１００で実行された調理メニューのレシピの情報を、無線アクセスポイント８０を介して無線ＬＡＮにより冷凍冷蔵庫２００で受けて、その実行された調理メニューのレシピの情報に基づいて、食材管理部２１０ｃにより食材の在庫を変更するようにしてもよい。
【００７６】
上記第２実施形態の家電機器システムは、第１実施形態の家電機器システムと同様の効果を有する。
【００７７】
また、ＰＯＳ端末３００(情報提供装置)からスマートフォン４００(情報提供装置)を介してＮＦＣ無線通信により取得した購入食材の情報(食材名、量、価格など)に基づいて、冷凍冷蔵庫２００(家電機器)が生活支援のための有益情報(食材の在庫状況など)をユーザーに提供することによって、ユーザーの食生活をサポートすることが可能になる。
【００７８】
また、店舗のＰＯＳ端末３００(情報提供装置)から取得したユーザーが購入した食材に関する情報として、食材名、量、価格などの情報を、ＮＦＣ無線通信を介してスマートフォン４００(情報提供装置)が取得して、スマートフォン４００からＮＦＣ無線通信を介して冷凍冷蔵庫２００(家電機器)に転送することによって、冷凍冷蔵庫２００から食材の在庫状況などを有益情報としてユーザーに提供することが可能になる。なお、スマートフォン４００からＷｉＦｉ(登録商標)通信を介して冷凍冷蔵庫２００に食材に関する情報を転送してもよい。
【００７９】
また、購入した食材のうち、スマートフォン４００の食材選択部４１０ｃによりユーザーが選択した食材に関する情報に基づいて、冷凍冷蔵庫２００(家電機器)によって生活支援のための有益情報をユーザーに提供する。これにより、冷凍冷蔵庫２００は、購入食材の全てを収納するのではなく、購入食材のうちの一部のみが冷凍冷蔵庫２００に収納する場合に、ユーザーがその購入食材のうちの一部を選択することにより適切な食材の管理が可能になるので、利便性が向上する。
【００８０】
なお、この第１実施形態では、スマートフォン４００の食材選択部４１０ｃにより任意の食材を選択したが、冷凍冷蔵庫２００に食材選択部を備えて、表示操作部２０４を用いて食材の選択を行ってもよい。
【００８１】
また、上記第２実施形態によれば、スマートフォン４００(携帯情報端末)から冷凍冷蔵庫２００(家電機器)に送信しようとする情報のデータ量が少ない場合は、通信速度が遅いＮＦＣ通信モジュール４２０(第１無線通信部)とＮＦＣ通信モジュール２２０(第１無線通信部)とを使用する。一方、スマートフォン４００から冷凍冷蔵庫２００に送信しようとする情報のデータ量が多い場合は、通信速度が速いＷｉＦｉ通信モジュール４３０(第２無線通信部)とＷｉＦｉ通信モジュール２３０(第２無線通信部)とを使用する。このとき、スマートフォン４００では、通信切替部４１０ｂによりＮＦＣ通信モジュール４２０とＷｉＦｉ通信モジュール４３０とを切り替え、冷凍冷蔵庫２００では、通信切替部２１０ｂによりＮＦＣ通信モジュール２２０とＷｉＦｉ通信モジュール２３０とを切り替える。
【００８２】
これにより、通信速度が遅いＮＦＣ通信モジュールまたは通信速度が速いＷｉＦｉ通信モジュールの一方しか備えていない場合に比べて、上記情報のデータ量に応じて、ＮＦＣ通信モジュール２２０,４２０とＷｉＦｉ通信モジュール２３０,４３０を適切に切り替えることで、効率のよい無線通信が可能となる。
【００８３】
なお、上記第２実施形態では、情報提供装置としてＰＯＳ端末３００とスマートフォン４００を用いた家電機器システムについて説明したが、管理サーバー５００を情報提供装置として用いてもよい。
【００８４】
この場合、例えば、ＰＯＳ端末３００は、インターネット網Ｎを介して管理サーバー５００と通信を行う機能を有するものとする。そして、ユーザーが店舗で食材を購入すると、そのユーザーが購入した食材の情報(食材名、量、価格など)は、ＰＯＳ端末３００からインターネット網Ｎを介して管理サーバー５００の通信部５００ａで受信され、食材管理部５００ｃで管理される。なお、ＰＯＳ端末３００が管理サーバー５００との通信を行う機能を有しないときは、スマートフォン４００で得られたＰＯＳ端末３００からの購入食材の情報を、スマートフォン４００からインターネット網Ｎを介して管理サーバー５００に送信する。
【００８５】
そうして、管理サーバー５００の食材管理部５００ｃで管理された購入食材の情報(食材名、量、価格など)は、管理サーバー５００からインターネット網Ｎを介して冷凍冷蔵庫２００(家電機器)により取得され、その購入食材の情報に基づいて、冷凍冷蔵庫２００が生活支援のための有益情報(食材の在庫状況など)をユーザーに提供する。
【００８６】
〔第３実施形態〕
図１０はこの発明の第３実施形態の家電機器システムの概略構成図を示している。この第３実施形態の家電機器システムは、ＰＯＳ端末３００の代わりに電子値札端末６００を備えている点を除いて第１実施形態の家電機器システムと同一の構成をしており、同一構成部には同一参照番号を付している。
【００８７】
この第３実施形態の家電機器システムは、図１０に示すように、家電機器の一例としての加熱調理器１００と、店舗などに設置された食品情報提供端末の一例としての複数の電子値札端末６００と、携帯情報端末の一例としてのスマートフォン４００と、加熱調理器１００やスマートフォン４００とインターネット網Ｎを介して通信する管理サーバー５００とを備える。
【００８８】
上記電子値札端末６００は、店舗に陳列された商品(食品を含む)の傍らに設置されて、ユーザーに商品名や価格などを示す。
【００８９】
図１１は上記家電機器システムの電子値札端末６００の構成を示すブロック図である。この電子値札端末６００は、図１１に示すように、食材名や価格などを表示する表示部６００ａと、ＮＦＣ通信部６００ｂと、ＮＦＣ通信部６００ｂを制御する通信制御部６００ｃと、食材名や価格などの情報を記憶する記憶部６００ｄとを有する。
【００９０】
この電子値札端末６００のＮＦＣ通信部６００ｂは、電子値札端末６００の情報を書き換える食材情報管理端末(図示せず)やスマートフォン４００とＮＦＣ無線通信を介して通信を行う。なお、上記食材情報管理端末は、商品管理サーバーと接続されて各電子値札端末６００の情報がダウンロードされる。
【００９１】
上記構成の家電機器システムによれば、電子値札端末６００(情報提供装置)からスマートフォン４００(情報提供装置)を介してＮＦＣ無線通信により取得した購入しようとする食材の情報(食材名、量、価格、レシピなど)に基づいて、加熱調理器１００(家電機器)がユ生活支援のための有益情報(購入しようとする食材を用いたお勧め調理メニューのレシピ)をユーザーに提供する。これによって、ユーザーの食生活をサポートすることが可能になる。なお、スマートフォン４００は、購入しようとする食材の情報に限らず、購入した食材の情報を電子値札端末６００から取得してもよい。
【００９２】
ここで、電子値札端末６００から取得される食材の情報のうちのレシピは、その食材に適した調理メニューのレシピなどである。
【００９３】
上記電子値札端末６００の通信アンテナ部(図示せず)にスマートフォン４００をかざすと、電子値札端末６００から食材名、量、価格、レシピなどの情報がＮＦＣ無線通信を介してスマートフォン４００が取得される。
【００９４】
そうして、上記食材名、量、価格、レシピなどの情報を、スマートフォン４００からＮＦＣ無線通信を介して加熱調理器１００(家電機器)に転送することによって、加熱調理器１００から購入しようとする食材に関わる有益情報(食材を用いたお勧めの調理メニューのレシピなど)をユーザーに提供する。
【００９５】
あるいは、上記家電機器が冷蔵庫である場合は、購入しようとする食材のうち冷蔵や冷凍が必要な食材は、冷蔵庫(または冷凍冷蔵庫)に保管されるものとして扱い、食材の保管状況などを有益情報としてユーザーに提供して、食材管理に利用してもよい。
【００９６】
また、上記電子値札端末６００(情報提供装置)から、購入しようとする食材に関する情報として、食材名、量、価格、レシピなどの情報を、ＮＦＣ無線通信を介してスマートフォン４００(携帯情報端末)が取得した後、スマートフォン４００から加熱調理器１００(家電機器)に無線通信を介して送信する。これにより、例えば、店舗に設置された電子値札端末６００の傍らの食品を見ながら、スマートフォン４００で食材に関する情報を簡単に取得して閲覧することができる。また、帰宅後でも、スマートフォン４００で食材に関する情報を閲覧することができ、食材に適したレシピなどをユーザー自ら調べる必要がなくなると共に、売り場で食材に関する情報をメモ書きする必要がない。
【００９７】
上記第３実施形態の家電機器システムでは、電子値札端末６００(情報提供装置)から提供される食材の情報としては、食材名、量、価格、レシピ以外に、食材の産地、生産者、食材の名前の由来などの食材に関わるあらゆるデータを含む。
【００９８】
また、上記第３実施形態の家電機器システムは、第２実施形態の家電機器システムと同様に、電子値札端末６００(情報提供装置)から提供される食材の情報に基づいて、食材の管理を行うことができる冷凍冷蔵庫２００を備えてもよい。
【００９９】
また、上記第３実施形態の家電機器システムでは、情報提供装置として電子値札端末６００を用いた家電機器システムについて説明したが、情報提供装置はこれに限らず、食品の値札や食品の包装自体に取り付けたＩＣタグなどを用いてもよい。
【０１００】
〔第４実施形態〕
図１２はこの発明の第４実施形態の家電機器システムの概略構成図を示している。この第４実施形態の家電機器システムは、ＰＯＳ端末３００の代わりに体組成計７００と活動量計８００を備えている点および管理サーバー１０００の動作が異なる点を除いて第１実施形態の家電機器システムと同一の構成をしており、同一構成部には同一参照番号を付している。
【０１０１】
体組成計７００は、生体情報として、体重、体脂肪、筋肉量および骨量などを測定する。
【０１０２】
また、活動量計は、生体情報として、消費カロリー、歩数、体温、血圧、年齢、心拍数および血流量などを測定する。この活動量計は、スマホのアプリ(歩数計)でもよいし、消費カロリー、歩数、心拍数などを測定する携帯型(例えば腕時計型)の機器でもよく、ウォーキングマシンなどのトレーニング機器に備えられたものでもよい。
【０１０３】
上記第４実施形態の家電機器システムでは、体組成計７００(情報提供装置)から体重,体脂肪,筋肉量および骨量のうちの少なくとも１つを表す生体情報を、ＮＦＣ無線通信を介してスマートフォン４００(携帯情報端末)が取得する。また、活動量計８００(情報提供装置)から消費カロリー、歩数、体温、血圧、年齢、心拍数および血流量などのうちの少なくとも１つを表す生体情報を、ＮＦＣ無線通信を介してスマートフォン４００(携帯情報端末)が取得する。
【０１０４】
ここで、上記体組成計７００、活動量計８００、および、その体組成計７００や活動量計８００から生体情報を取得するスマートフォン４００は、情報提供装置に含まれる。
【０１０５】
そうして、上記体重,体脂肪,筋肉量および骨量のうちの少なくとも１つを表す生体情報や、消費カロリー、歩数、体温、血圧、年齢、心拍数および血流量などのうちの少なくとも１つを表す生体情報を、スマートフォン４００からＮＦＣ無線通信を介して加熱調理器１００(家電機器)に転送することによって、加熱調理器１００から生活支援のための有益情報をユーザーに提供する。
【０１０６】
例えば、体組成計７００や活動量計８００から取得した生体情報を用いたお勧めの調理メニューのレシピを有益情報としてユーザーに表示や音声により提供することが可能になる。詳しくは、体組成計７００から取得したユーザーの体重や体脂肪が基準値を上回っている場合、低カロリーの調理メニューを勧めたり、骨量が低下している場合、カルシウムの吸収のよい調理メニューを勧めたりする。
【０１０７】
ここで、生体情報としては、体重、体脂肪、筋肉量、骨量、消費カロリー、歩数、体温、血圧、年齢、心拍数、血流量以外の他の生体情報でもよい。
【０１０８】
上記構成の家電機器システムによれば、体組成計７００(情報提供装置)からスマートフォン４００(情報提供装置)を介してＮＦＣ無線通信により取得した生体情報(体重,体脂肪,筋肉量および骨量など)、あるいは、活動量計８００(情報提供装置)からスマートフォン４００(情報提供装置)を介してＮＦＣ無線通信により取得した生体情報(消費カロリー、歩数、体温、血圧、年齢、心拍数および血流量など)に基づいて、加熱調理器１００(家電機器)が生活支援のための有益情報(健康によいお勧め調理メニューのレシピ)をユーザーに提供する。これによって、ユーザーの健康管理をサポートすることが可能になる。
【０１０９】
なお、上記第４実施形態では、情報提供装置として体組成計７００と活動量計８００およびスマートフォン４００を用いた家電機器システムについて説明したが、体組成計７００にＷｉＦｉ通信機能を備え、体組成計７００からの生体情報(体重,体脂肪,筋肉量および骨量など)を、ＷｉＦｉによる無線ＬＡＮを介して加熱調理器１００(家電機器)で取得するようにしてもよい。同様に、活動量計８００にＷｉＦｉ通信機能を備え、活動量計８００からの生体情報(消費カロリー、歩数、体温、血圧、年齢、心拍数および血流量など)を、ＷｉＦｉによる無線ＬＡＮを介して加熱調理器１００(家電機器)で取得するようにしてもよい。
【０１１０】
また、上記第４実施形態では、情報提供装置として体組成計７００と活動量計８００およびスマートフォン４００を用いた家電機器システムについて説明したが、体組成計７００(または活動量計８００)と管理サーバー１０００を情報提供装置として用いてもよい。
【０１１１】
図１３は上記家電機器システムの管理サーバー１０００の構成を示すブロック図である。この管理サーバー１０００は、図１３に示すように、インターネット網Ｎを介した通信を行う通信部１０００ａと、調理メニュー管理部１０００ｂと、生体情報管理部１０００ｃと、健康サポート部１０００ｄとを有する。
【０１１２】
この管理サーバー１０００は、通信部１０００ａによりインターネット網Ｎを介して通信を行う。また、管理サーバー１０００は、通信部１０００ａによりインターネット網Ｎと屋内の無線ＬＡＮを介して加熱調理器１００と通信を行う。
【０１１３】
また、調理メニュー管理部１０００ｂは、加熱調理器１００で実行可能な調理メニューの情報を管理しており、加熱調理器１００からの要求などに応じて調理メニューの情報(レシピなど)を加熱調理器１００側にダウンロードする。
【０１１４】
また、生体情報管理部１０００ｃは、体組成計７００または活動量計８００からの生体情報をユーザー毎,項目毎の時系列データとして管理する。
【０１１５】
また、健康サポート部１０００ｄは、生体情報管理部１０００ｃにより管理された生体情報に基づいて、調理メニュー管理部１０００ｂにより管理された加熱調理器１００で実行可能な調理メニューの情報の中から、お勧めの調理メニューのレシピを有益情報として、インターネット網Ｎと屋内の無線ＬＡＮを介して加熱調理器１００に送信する。なお、健康サポート部１０００ｄは、お勧めの調理メニューのレシピに限らず、健康に関するアドバイスなどを有益情報として、加熱調理器１００に送信してもよい。
【０１１６】
例えば、体組成計７００(または活動量計８００)は、インターネット網Ｎを介して管理サーバー１０００と通信を行う機能を有するものとする。そして、ユーザーが体重を測定すると、そのユーザーの生体情報(体重,体脂肪,筋肉量および骨量など)は、体組成計７００からインターネット網Ｎを介して管理サーバー１０００の通信部１０００ａで受信され、生体情報管理部１０００ｃで管理される。なお、体組成計７００が管理サーバー１０００との通信を行う機能を有しないときは、スマートフォン４００で得られた体組成計７００からの購入食材の情報を、スマートフォン４００からインターネット網Ｎを介して管理サーバー１０００に送信する。
【０１１７】
そうして、管理サーバー１０００の生体情報管理部１０００ｃで管理された生体情報(体重,体脂肪,筋肉量および骨量など)は、管理サーバー１０００からインターネット網Ｎを介して加熱調理器１００(家電機器)により取得され、その生体情報に基づいて、加熱調理器１００が生活支援のための有益情報(健康によいお勧め調理メニューのレシピ)をユーザーに提供する。
【０１１８】
このとき、管理サーバー１０００の生体情報管理部１０００ｃで管理された生体情報に基づいて、調理メニュー管理部１０００ｂにより適切なお勧め調理メニューのレシピ(生活支援のための有益情報)を加熱調理器１００に送信して、加熱調理器１００から健康によいお勧め調理メニューのレシピをユーザーに提供してもよい。
【０１１９】
上記第４実施形態では、管理サーバー１０００を備えた家電機器システムについて説明したが、管理サーバーを備えない構成の家電機器システムにこの発明を適用してもよい。この場合、無線アクセスポイント８０や加熱調理器１００のＷｉＦｉ通信モジュールはなくともよい。
【０１２０】
上記第１〜第４実施形態では、携帯情報端末としてスマートフォン４００を備えた家電機器システムについて説明したが、携帯情報端末はこれに限らず、ＰＤＡ(Personal Digital Assistant：パーソナル・デジタル・アシスタント)やモバイルＰＣ(パーソナルコンピュータ)等であってもよい。
【０１２１】
また、上記第１〜第４実施形態では、情報提供装置から無線通信を介して取得した情報に基づいて有益情報を提供する家電機器システムについて説明したが、有線通信を介して取得してもよい。
【０１２２】
この発明の具体的な実施の形態について説明したが、この発明は上記第１〜第４実施形態に限定されるものではなく、この発明の範囲内で種々変更して実施することができる。例えば、上記第１〜第４実施形態で記載した内容を適宜組み合わせたものを、この発明の一実施形態としてもよい。
【０１２３】
この発明および実施形態をまとめると、次のようになる。
【０１２４】
この発明の家電機器システムは、
情報提供装置３００,４００,５００,６００,７００,８００と、
上記情報提供装置３００,４００,５００,６００,７００,８００から無線通信を介して取得した情報に基づいて、生活支援のための有益情報をユーザーに提供する家電機器１００,２００と
を備えたことを特徴とする。
【０１２５】
上記構成によれば、情報提供装置３００,４００,５００,６００,７００,８００から無線通信を介して取得した情報に基づいて、生活支援のための有益情報を家電機器１００,２００がユーザーに提供する。ここで、生活支援のための有益情報は、購入した食材を用いたお勧め調理メニューのレシピ、および／または、体重や体脂肪率などの生体情報に基づくお勧め調理メニューのレシピや健康アドバイスなどである。これによって、ユーザーの食生活や健康管理などをサポートすることが可能になる。
【０１２６】
また、一実施形態の家電機器システムでは、
上記情報提供装置３００,４００,５００,６００から上記無線通信を介して取得した情報は、上記ユーザーが購入した食材または購入しようとする食材に関する情報を含み、
上記家電機器１００,２００は、上記情報提供装置３００,４００,５００,６００から上記無線通信を介して取得した上記ユーザーが購入した食材または購入しようとする食材に関する情報に基づいて、上記食材に関わる上記有益情報をユーザーに提供する。
【０１２７】
上記実施形態によれば、例えば、店舗のＰＯＳ(Point Of Sales)端末３００や電子値札端末６００などの情報提供装置３００,４００,５００,６００から無線通信を介して取得したユーザーが購入した食材または購入しようとする食材に関する情報(食材名、量、価格などの情報)を、近接場型の無線通信(例えばＮＦＣ(Near field radio communication))を介して携帯情報端末４００(例えばスマートフォン)が取得する。ここで、上記ＰＯＳ端末３００、電子値札端末６００、および、そのＰＯＳ端末３００や電子値札端末６００から食材に関する情報を取得する携帯情報端末４００は、情報提供装置に含まれる。
【０１２８】
そうして、ユーザーが購入した食材または購入しようとする食材に関する情報を、携帯情報端末４００から無線通信(例えばＮＦＣやＷｉＦｉ(登録商標))を介して家電機器１００,２００に転送することによって、家電機器１００,２００から食材に関わる有益情報をユーザーに提供する。
【０１２９】
例えば、上記家電機器が加熱調理器１００である場合は、購入した食材(または購入しようとする食材)を用いたお勧めの調理メニューのレシピを有益情報としてユーザーに提供することが可能になる。
【０１３０】
あるいは、上記家電機器が冷蔵庫または冷凍冷蔵庫２００である場合は、購入した食材のうち冷蔵や冷凍が必要な食材は、冷蔵室または冷凍室に保管されるものとして扱い、食材の保管状況などを有益情報としてユーザーに提供して、食材管理に利用することが可能になる。
【０１３１】
また、一実施形態の家電機器システムでは、
上記情報提供装置３００,４００,５００,６００は、
上記購入した食材に関する情報を上記家電機器１００,２００に上記無線通信を介して送信するＰＯＳ端末３００を含む。
【０１３２】
上記実施形態によれば、ユーザーが店舗で食材を購入する時に、ＰＯＳ端末３００からユーザーが購入した食材に関する情報として、食材名、量、価格などの情報を、近接場型の無線通信(例えばＮＦＣ)を介して携帯情報端末４００(例えばスマートフォン)が取得する。これにより、食材の購入時に食材に関する情報を簡単に取得することができる。
【０１３３】
また、一実施形態の家電機器システムでは、
上記情報提供装置３００,４００,５００,６００は、
上記購入した食材または上記購入しようとする食材に関する情報を上記家電機器１００,２００に上記無線通信を介して送信する電子値札端末６００を含む。
【０１３４】
上記実施形態によれば、情報提供装置３００,４００,５００,６００である電子値札端末６００から、購入した食材(または購入しようとする食材)に関する情報として、食材名、量、価格などの情報を携帯情報端末４００(例えばスマートフォン)に近接場型の無線通信(例えばＮＦＣ)を介して取得した後、携帯情報端末４００から家電機器１００,２００に無線通信を介して送信する。これにより、例えば、店舗に設置された電子値札端末６００を見ながら、食材に関する情報を簡単に取得することができる。
【０１３５】
また、一実施形態の家電機器システムでは、
上記情報提供装置３００,４００,５００,６００または上記家電機器１００,２００は、上記購入した食材または上記購入しようとする食材のうちの任意の食材を上記ユーザーが選択するための食材選択部４１０ｃを有し、
上記家電機器１００,２００は、上記購入した食材または上記購入しようとする食材のうち、上記食材選択部４１０ｃによりユーザーが選択した食材に関する情報に基づいて、上記有益情報を上記ユーザーに提供する。
【０１３６】
上記実施形態によれば、購入した食材(または購入しようとする食材)のうち、食材選択部４１０ｃによりユーザーが選択した食材に関する情報に基づいて、家電機器１００,２００によって生活支援のための有益情報をユーザーに提供する。これにより、例えば、上記家電機器１００,２００が加熱調理器である場合は、購入した食材の全てを用いたお勧めの調理メニューのレシピを提供するのではなく、購入した食材のうちの選択された食材を用いたお勧めの調理メニューのレシピをユーザーに提供でき、利便性が向上する。
【０１３７】
また、一実施形態の家電機器システムでは、
上記情報提供装置４００,５００,７００,８００から上記無線通信を介して上記家電機器１００,２００が取得する上記情報は、上記ユーザーの生体情報を含み、
上記家電機器１００,２００は、上記情報提供装置４００,５００,７００,８００から上記無線通信を介して取得した上記生体情報に基づいて、上記有益情報をユーザーに提供する。
【０１３８】
ここで、上記生体情報は、体重、体脂肪、筋肉量、骨量、消費カロリー、歩数、体温、血圧、年齢、心拍数、血流量などがある。
【０１３９】
上記実施形態によれば、例えば、体組成計や活動量計などの情報提供装置７００,８００からユーザーの生体情報を、近接場型の無線通信(例えばＮＦＣ)を介して携帯情報端末４００(例えばスマートフォン)が取得する。ここで、上記体組成計、活動量計、および、その体組成計や活動量計から生体情報を取得する携帯情報端末４００は、情報提供装置に含まれる。
【０１４０】
そうして、携帯情報端末４００から無線通信(例えばＮＦＣやＷｉＦｉ)を介して家電機器１００,２００に転送することによって、家電機器１００,２００から生活支援のための有益情報をユーザーに提供する。
【０１４１】
例えば、上記家電機器が加熱調理器１００である場合は、体組成計や活動量計などから生体情報を用いたお勧めの調理メニューのレシピを有益情報としてユーザーに提供することが可能になる。詳しくは、体重や体脂肪が基準値を上回っている場合、低カロリーの調理メニューを勧めたり、骨量が低下している場合、カルシウムの吸収のよい調理メニューを勧めたりする。
【０１４２】
また、一実施形態の家電機器システムでは、
上記情報提供装置３００,４００,５００,６００,７００,８００は、
上記家電機器１００,２００と無線通信を行う携帯情報端末４００を含む。
【０１４３】
上記実施形態によれば、情報提供装置として携帯情報端末４００を用いることによって、例えば携帯情報端末であるスマートフォン４００に搭載されているＮＦＣ方式の近距離無線通信を利用して、ＰＯＳ端末３００や電子値札端末６００などにスマートフォン４００を近接させることで食材情報を簡単に得ることができると共に、体組成計７００や活動量計８００などにスマートフォン４００を近接させることで生体情報を簡単に得ることができる。
【０１４４】
さらに、携帯情報端末としてスマートフォン４００などのプログラム可能な装置を用いることによって、専用アプリにより食材情報や生体情報を管理することが容易にできる。
【０１４５】
また、一実施形態の家電機器システムでは、
上記携帯情報端末４００と上記家電機器１００,２００の夫々は、
上記携帯情報端末４００を上記家電機器１００,２００に近接させることによって互いに近接場型の無線通信を行う第１無線通信部１２０,２２０,４２０と、
上記携帯情報端末４００を上記家電機器１００,２００に近接させることなく互いに無線通信が可能な第２無線通信部１３０,２３０,４３０と、
上記情報提供装置４００から上記家電機器１００,２００に送信しようとする情報に基づいて、上記第１無線通信部１２０,２２０,４２０を使用するかまたは上記第２無線通信部１３０,２３０,４３０を使用するかを切り替える通信切替部１１０ｂ,２１０ｂ,４１０ｂと
を有する。
【０１４６】
上記実施形態によれば、情報提供装置４００から家電機器１００,２００に送信しようとする情報に基づいて、携帯情報端末４００を家電機器１００,２００に近接させることによって互いに近接場型の無線通信を行う第１無線通信部１２０,２２０,４２０(例えばＮＦＣ)使用するか、または、携帯情報端末４００を家電機器１００,２００に近接させることなく互いに無線通信が可能な第２無線通信部１３０,２３０,４３０(例えばＷｉＦｉ)を使用するかを通信切替部１１０ｂ,２１０ｂ,４１０ｂにより切り替える。これによって、例えば、情報提供装置４００から家電機器１００,２００に送信しようとする情報のデータ量が少ない場合は、通信速度が遅い第１無線通信部１２０,２２０,４２０を使用する一方で、情報提供装置４００から家電機器１００,２００に送信しようとする情報のデータ量が多い場合は、通信速度が速い第２無線通信部１３０,２３０,４３０を使用することができる。
【０１４７】
これにより、通信速度が遅い第１無線通信部１２０,２２０,４２０または通信速度が速い第２無線通信部１３０,２３０,４３０の一方しか備えていない場合に比べて、上記情報のデータ量に応じて、第１無線通信部１２０,２２０,４２０と第２無線通信部１３０,２３０,４３０を適切に切り替えることで、効率のよい無線通信が可能となる。
【０１４８】
なお、家電機器システムは、上記第１〜第４実施形態に限らず、Ｗｉｆｉなどの無線通信装置およびスピーカやマイクなどの音声装置を備えた加熱調理器に、スーパーなどの店舗から管理サーバーを介して広告情報(画像および音声など)を配信し、その配信された広告情報を基にユーザーがその店舗を来店し、その広告の商品を購入した場合、商品価格を安くすると共に、その商品の購入実績から加熱調理器のメーカーなどからスーパーに対して課金するようにしてもよい。
【０１４９】
この場合、店舗では広告を見て購入するユーザーを識別するために、加熱調理器に配信された広告情報と同時に識別用番号(あるいはＱＲコード(登録商標)など)を表示するようにして、ユーザーが店舗で購入時に提示する。
【０１５０】
また、他の家電機器システムとしては、母親が加熱調理器に登録したレシピをＮＦＣ無線通信を介して子供のスマートフォン(携帯情報端末)にダウンロードし、そのスマートフォンにダウンロードされたレシピを見ながら、お母さんが作ったレシピを子供が料理するようにしてもよい。
【０１５１】
また、加熱調理器に登録されたレシピを、ＮＦＣ無線通信を介してスマートフォン(携帯情報端末)にダウンロードすると共に、必要な食材の買い物リストが作成されるようにしてもよい。これにより、必要な食材の買い物リストから、インターネットを介して食材の発注を行えるようにすることも可能になる。
【０１５２】
あるいは、スマートフォン(携帯情報端末)から加熱調理器(家電機器)にレシピを、例えば次ぎのような形でアップロードしてもよい。
【０１５３】
(i)  スーパーの食材を用いたお勧めレシピをスマートフォンで検索、レシピを加熱調理器にアップロードする。
(ii)  加熱調理器のレシピ(分量、火加減、時間など)をスマートフォンで修正し、加熱調理器にアップロードして、自分流の加熱調理を行うようにする。
(iii)  例えばお誕生日の定番料理などのような記念日レシピ(スケジュールと調理メニュー)を加熱調理器にアップロードする。
(iv)  調理メニューのレシピに評価付け(おいしい、いまいち、多い、少ないなど)し、加熱調理器にアップロードする。
【０１５４】
これにより、上記加熱調理器を用いた調理メニューについての利便性が向上する。
【０１５５】
また、他の家電機器システムとしては、スーパーの管理システムからお勧めの食材の広告をスマートフォン(携帯情報端末)に配信し、広告を受け取ったスマートフォンでお勧めの調理メニューのレシピが作成され、そのお勧めの調理メニューのレシピが加熱調理器(家電機器)にアップロードされたら、スーパーの管理システムにフィードバックするようにしてもよい。さらに、そのお勧めの調理メニューが加熱調理器で実際に料理されたら、その旨をスーパーの管理システムにフィードバックするようにしてもよい。これにより、スーパーでは、広告を出したお勧めの食材について最適な仕入れを行うことができる。
【符号の説明】
【０１５６】
１…本体ケーシング
２…加熱室
３…扉
５…排気ダクト
６…露受容器
７…外ガラス
８…ハンドル
９…操作パネル
１０…カラー液晶表示部
１２…取り消しキー
１３…スタートキー
１４…ＮＦＣ通信アンテナ部
２０…スピーカ
３０…ヒータ
４０…マグネトロン
５０…ドアセンサ
８０…無線アクセスポイント
１００…加熱調理器
１１０…制御装置
１１０ａ…通信制御部
１１０ｂ…通信切替部
１１０ｃ…調理メニュー提案部
１２０…ＮＦＣ通信モジュール
１３０…ＷｉＦｉ通信モジュール
２００…冷凍冷蔵庫
２０５…ＮＦＣ通信アンテナ部
２１０…制御装置
２１０ａ…通信制御部
２１０ｂ…通信切替部
２１０ｃ…食材管理部
２２０…ＮＦＣ通信モジュール
２３０…ＷｉＦｉ通信モジュール
３００…ＰＯＳ端末
４００…スマートフォン
４１０…制御装置
４１０ａ…通信制御部
４１０ｂ…通信切替部
４１０ｃ…食材選択部
４２０…ＮＦＣ通信モジュール
４３０…ＷｉＦｉ通信モジュール
４４０…携帯電話無線通信モジュール
４５０…表示操作部
４６０…スピーカ
４７０…マイク
５００…管理サーバー
５００ａ…通信部
５００ｂ…調理メニュー管理部
５００ｃ…食材管理部
６００…電子値札端末
７００…体組成計
８００…活動量計
１０００…管理サーバー
１０００ａ…通信部
１０００ｂ…調理メニュー管理部
１０００ｃ…生体情報管理部
１０００ｄ…健康サポート部
Ｎ…インターネット網
【図１】
2017204770.tif 000003
【図２】
2017204770.tif 000004
【図３】
2017204770.tif 000005
【図４】
2017204770.tif 000006
【図５】
2017204770.tif 000007
【図６】
2017204770.tif 000008
【図７】
2017204770.tif 000009
【図８】
2017204770.tif 000010
【図９】
2017204770.tif 000011
【図１０】
2017204770.tif 000012
【図１１】
2017204770.tif 000013
【図１２】
2017204770.tif 000014
【図１３】
2017204770.tif 000015